(57)【特許請求の範囲】
【請求項１】
枠体に、面材支持枠に面材を取付けた面材ユニットを取付けた建具体であって、
前記枠体は、本体と内向突部を備え相対向した第１框、第２框と、内向凹部を備え相対向した第３框、第４框を方形状に連結し、
前記面材支持枠は、面材取付部と框取付部を備え、その框取付部に外向凹部を有した相対向した第１面材支持材、第２面材支持材と、面材取付部と框取付部を備え相対向した第３面材支持材、第４面材支持材を方形状に連結し、
前記第１・第２面材支持材の框取付部の外向凹部に第１・第２框の内向突部を嵌合して連結し、
前記第３・第４面材支持材の框取付部を、第３・第４框の内向凹部に嵌合して連結したことを特徴とする建具体。
【請求項２】
面材支持材の面材取付部は、面材の表面よりも面外方向外側に位置する面材支持片を有しており、
第１・第２框の表面が第１・第２面材支持材の表面で覆われ、
第３・第４面材支持材の表面が第３・第４框の表面で覆われた請求項１記載の建具体。
【請求項３】
第１・第２面材支持材の框取付部は、外側部分と、この外側部分よりも面内方向内側に位置し、且つ外側部分よりも見込み寸法が小さい内側部分を備え、
前記内側部分の見込み寸法は、面材取付部の見込み寸法よりも小さく、面材がこの内側部分の面外方向外側に位置して取付けてある請求項１又は２記載の建具体。
【請求項４】
第１・第２面材支持材の面材支持片の長手方向端面が第３・第４面材支持材の面材支持片の端面に接し、
前記第３・第４面材支持材の面材支持片が第３・第４框の内向凹部内に嵌まり込んで、その面材支持片が第３・第４框の表面で覆われるようにした請求項３記載の建具体。
【発明の詳細な説明】
【技術分野】
【０００１】
本発明は、室内間仕切りに用いる片開きドアの扉、引き違いサッシの障子などの枠体に面材を装着した建具体に関する。
【背景技術】
【０００２】
従来、特許文献１に開示された建具体（パネル体）が知られている。
この建具体は、上框（上枠材）、下框（下枠材）、左右の縦框（縦枠材）を方形状に連結した枠体（パネル枠）に、面材ユニット（パネル製ユニット本体）を装着してある。その面材ユニットは、上・下、縦面材支持枠（額縁構成材）を方形状に連結した面材支持枠（額縁）に面材（パネル）を装着したもので、その各面支持枠材が各框の内向凹部に嵌合して取付けてある。
【特許文献１】実開昭５６−６５０８８号公報
【発明の開示】
【発明が解決しようとする課題】
【０００３】
前述した従来の建具体は、面材支持枠の四周が枠体の各框の内向凹部に嵌合して取付けてあるので、面材の表面が四周全てにおいて見込み方向内側寄りとなるから、枠体の表面と面材の表面との間に大きな段差が四周連続して生じ、表面の見栄えが悪い建具体である。
【０００４】
本発明の目的は、表面の見栄えが良く強固に連結された建具体とすることである。
【課題を解決するための手段】
【０００５】
本発明は、枠体に、面材支持枠に面材を取付けた面材ユニットを取付けた建具体であって、
前記枠体は、本体と内向突部を備え相対向した第１框、第２框と、内向凹部を備え相対向した第３框、第４框を方形状に連結し、
前記面材支持枠は、面材取付部と框取付部を備え、その框取付部に外向凹部を有した相対向した第１面材支持材、第２面材支持材と、面材取付部と框取付部を備え相対向した第３面材支持材、第４面材支持材を方形状に連結し、
前記第１・第２面材支持材の框取付部の外向凹部に第１・第２框の内向突部を嵌合して連結し、
前記第３・第４面材支持材の框取付部を、第３・第４框の内向凹部に嵌合して連結したことを特徴とする建具体である。
【０００６】
本発明においては、面材支持材の面材取付部は、面材の表面よりも面外方向外側に位置する面材支持片を有しており、
第１・第２框の表面が第１・第２面材支持材の表面で覆われ、第３・第４面材支持材の表面が第３・第４框の表面で覆うことができる。
このようにすれば、枠体と面材支持枠とが重なり合って連結しているので、建具体における枠体と面材支持枠の露出する面積を小さくして面材を大きく見せることができ、建具体の表面の見栄えが良くなる。
【０００７】
本発明においては、第１・第２面材支持材の框取付部は、外側部分と、この外側部分よりも面内方向内側に位置し、且つ外側部分よりも見込み寸法が小さい面内方向の内側部分を備え、
前記内側部分の見込み寸法は、面材取付部の見込み寸法よりも小さく、面材がこの内側部分の面外方向外側に位置して取付けることができる。
このようにすれば、面材を大きくすることができる。
【０００８】
本発明においては、第１・第２面材支持材の面材支持片の長手方向端面が第３・第４面材支持材の面材支持片の端面に接し、
前記第３・第４面材支持材の面材支持片が第３・第４框の内向凹部内に嵌まり込んで、その面材支持片が第３・第４框の表面で覆われるようにできる。
このようにすれば、第３・第４面材支持材が第３・第４框で覆われて見えないので、見栄えが良い。
【発明の効果】
【０００９】
本発明によれば、相対向した第１・第２面材支持材と第１・第２框部分においては、第１・第２面材支持材の外向凹部内に第１・第２框部分の内向突部が挿入されて連結しているので、この部分においては、面材の表面を見込み方向外側寄りにすることができる。
よって、表面の見栄えが良い。
また、相対向した第１・第２面材支持材の框取付部の外向凹部に第１・第２框の内向突部を嵌合して連結され、第３・第４面材支持材の框取付部が相対向した第３・第４框の内向凹部に嵌合して連結されるので、強固に連結され、枠体に面材ユニットをしっかりと取付けできる。
【発明を実施するための最良の形態】
【００１０】
図１に示すように、建具枠１に建具体２を取付けて建具、例えば室内間仕切り（スクリーンパーティション）の片開きドアとしてある。
前記建具体２は、枠体３に面材ユニット４を装着してある。
前記面材ユニット４は面材支持枠５に面材６を装着したものである。
前記建具枠１は、上枠１０と下枠１１と左縦枠１２と右縦枠１３を方形状に連結してある。この実施の形態では下枠１１は床面としてある。
【００１１】
前記枠体３は、相対向した第１框、例えば上框２０と第２框、例えば下框２１及び、相対向した第３框、例えば左縦枠２２と第４框、例えば右縦枠２３を方形状に連結してある。
前記面材支持枠５は、相対向した第１面材支持材、例えば上面材支持材３０と、第２面材支持材、例えば下面材支持材３１及び、相対向した第３面材支持材、例えば左面材支持材３２と、第４面材支持材、例えば右面材支持材３３を方形状に連結してある。
前記面材６はガラスであるが、パネルでも良い。
【００１２】
前記上框２０と下框２１は図２に示すように、本体２４と、この本体２４の面内方向内側に設けた面内方向内側に突出した内向凸部２５を備えている。
前記上面材支持材３０と下面材支持材３１は図２に示すように、面材取付部３４と、この面材取付部３４の面内方向外側に設けた框取付部３５を備え、この框取付部３５は面内方向外側に開口した外向凹部３５ａを有している。
前記左縦框２２、右縦框２３は図３に示すように、面内方向内側に、面内方向内側に向けて開口した内向凹部２６を有している。
前記左面材支持材３２、右面材支持材３３は、面材取付部３６と、この面材取付部３６の面内方向外側に設けた框取付部３７を有している。
前述の面内方向とは室内外側方向（見込み方向）と直交した上下、左右方向で、面内方向内側とは対向した框に向かう側（例えば、左縦框２２における面内方向内側は、左右方向で右縦框２３側）で、面内方向外側とは対向した框に向かう側と反対側（例えば、左縦框２２における面内方向外側は、左右方向で右縦框２３側とは反対側）である。
【００１３】
前記各面材取付部３４，３６は四周連続し、略Ｕ字状に形成された各取付面３４ａ，３６ａは面一に連続し、面材６の周縁部分が取付けられる。例えば、裏面６ａの周縁部分が取付面３４ａ，３６ａの接着面に接着剤等で接着して取付けてある。
前記各面材６の表面６ｂは、各面材取付部３４，３６の表面よりも面外方向（室内外側方向）の内側寄りである。
前記面材取付部３４，３６の表面とは、面材取付部３４，３６における最も面外方向外側寄りの表面（後述する面材支持片３８，３９の表面）である。
【００１４】
図２に示すように、前記上面支持材３０の外向凹部３５ａに上框２０の内向突部２５が嵌合して上面材支持材３０と上框２０が連結され、面材取付部３４の表面（面材支持片３８の表面）と面材６の表面６ｂとの段差ａが外部に露出する。
前記下面材支持材３１の外向凹部３５ａに下框２１の内向突部２５が嵌合して下面材支持材３１と下框２１が連結され、前記面材取付部３４の表面（面材支持片３８の表面）と面材６の表面６ｂとの段差ｂが外部に露出する。
【００１５】
このようであるから、建具体２の上部と下部においては、上下面材支持材３０，３１の面材取付部３４（面材支持片３８）の表面と面材６の表面６ｂとの間の段差ａ，ｂが見える。この段差ａ，ｂは小さいものである。
【００１６】
図３に示すように、前記左縦框２２、右縦框２３の内向凹部２６に左面材支持材３２、右面材支持材３３の框取付部３７がそれぞれ嵌合して左縦框２２、右縦框２３と左右面材支持材３２，３３が連結され、左・右面材支持材３２，３３の面材取付部３６及び框取付部３７の表面が左右縦框２２，２３の表面２２ａ，２３ａで覆われるようにしてある。
このようであるから、左右面材支持材３２，３３が左右縦框２２，２３にそれぞれ嵌合して強固に支持されるので、面材ユニット４が枠体３にしっかりと支持される。
また、建具体２の左右の縦部においては、左右縦框２２，２３の表面２２ａ，２３ａと面材６の表面６ｂとの間に前記段差ａ，ｂよりも大きな段差ｃが生じ、その段差ｃが見える。
【００１７】
図２、図３に示すように、枠体３の上框２０と建具枠１の上枠１０及び下框２１と下枠１１がピボットヒンジ７で室内外側方向に回動自在に連結され、建具体２は室内側に回動することで開放状態となる。
前記左縦框２２にハンドル８が取付けてある。
【００１８】
この実施の形態では、面材取付部３４，３６に略Ｕ字状に形成されて面内方向内側に開口した取付面３４ａ，３６ａに面材６がそれぞれ取付けてあり、上下面材支持材３０，３１の面材取付部３４，３６の面外方向両側の表面（面材支持片３８）と面材６の表面６ｂとの間に同じ幅の段差がそれぞれ生じるようにしてあるので、面外方向両側の見栄えを同一にできる。
これに限ることはなく、面材取付部３４，３６の面外方向一側、他側のどちらか一方にのみ面材６を取付けても良い。
【００１９】
次に、各部材を説明する。尚、前記上框２０は前記下框２１と略同一構造であり、前記右縦框２３は前記左縦框２２と略同一構造である為、以下は下框２１と左框２２について説明し、上框２０と右縦框２３の説明は省略する。
前記下框２１の本体２４は図４に示すように横片２４ａの室内外側端に室内側鉤片２４ｂ、室外側鉤片２４ｃをそれぞれ有して面内方向外側に開口した凹部２４ｄを有している。
前記内向突部２５は、前記本体２４に設けた室内側片２５ａと室外側片２５ｂ、この室内側片２５ａと室外側片２５ｂを連結する連結片２５ｃを備え、その室内側片２５ａ、室外側片２５ｂはクランク形状に折曲して見込み寸法の大きな面内方向外側の外側部分２５−１と、この外側部分２５−１よりも見込み寸法の小さな面内方向内側の内側部分２５−２を有したほぼ山形状である。見込み寸法とは面外方向（室内外側方向）の寸法である。
前記外側部分２５−１の室内外側面よりも本体２４の室内外側鉤片２４ｂ，２４ｃが面外方向の外側（室内側、室外側）に位置している。
前記連結片２５ｃにビスホール２５ｄが形成してある。
以上の構成により、内向突部２５を外側部分２５−１と内側部分２５−２とで山形形状（凸形状）とし、内側部分２５−２よりも面外方向外側の位置に面材取付部３４，３６の取付面３４ａ，３６ａが位置する。
従って、ピボットヒンジ７を固定するための平板状の裏板７ａを挿入できるスペースを外側部分２５−１で確保でき、ビスホール２５ｄを設けるスペースを内側部分２５−２で確保でき、そして内側部分２５−２と面材６の端部とが面外方向において重なるように配置できるため、面材６を大きしつつビスホール２５ｄ、ピボットヒンジ７の裏板７ａを設ける部位をコンパクトに配置して形成できる。
【００２０】
前記左縦框２２は図５に示すように、室内側板２７と室外側板２８を面内方向複数の連結片２９で一体に連結した中空部を有する形状で、その室内側板２７と室外側板２８が面内方向内側の連結片２９よりも面内方向の内側に突出して前述の内向凹部２６を形成している。
【００２１】
前記左縦框２２と下框２１は図６に示すように、左縦框２２の内向凹部２６を形成する連結片２９の下端部分を切断等して除去し、下框２１の内向突部２５を、前記連結片２９の切断した部分を通して左縦枠２２の連結片２９（除去した連結片２９よりも面内方向外側に位置する連結片２９）に押しつけ、ビスホール２５ｄにビスを螺合して連結する。
これによって、左縦框２２の室内側板２７、室外側板２８の下端面が下框２１の本体２４の室内側鉤片２４ｂ、室外側鉤片２４ｄの折曲部に当接して左縦框２２の表面２２ａと室内外側鉤片２４ｂ，２４ｃの表面が面一に連続する。
なお、右縦框２３と下框２１、左縦框２２と上框２０、右縦框２２と上框２０は前述と同様に連結される。
【００２２】
前記下面材支持材３１は図４に示すように、室内側板３４ｂ、室外側板３４ｃ、内側板３４ｄ、外側板３４ｅで矩形中空断面の中空部を有する補強部３１ａを備えた長尺材で、内・外側板３４ｄ，３４ｅに中空部に臨むビスホール３４ｆが形成してある。
更に、前記下面材支持材３１には、室内側板３４ｂ及び室外側板３４ｃの面内方向外側端部から更に面外方向外側へ延出した第１垂直板３４ｇと、第１垂直板３４ｇの面内方向外側端部から面外方向外側に延出した水平板３４ｈと、水平板３４ｈの面外方向外側端部から面内方向内側に延出した面材支持片３８と、水平板３４ｈの面外方向外側端部から面内方向外側に延出した第２垂直板３４ｉとが形成してある。
前記下面材支持材３１の面材取付部３４の略Ｕ字状の取付面３４ａは、第１垂直板３４ｇの面外方向外側面と、水平板３４ｈの面内方向内側面と、面材支持片３８の面外方向内側面とで構成されている。
この取付面３４ａの内、第１垂直板３４ｇの面外方向外側面（前述の接着面）に接着剤等を塗布することで、面材６を面材取付部３４と接着固定している。
前記框取付部３５は、外側板３４ｅ、水平板３４ｈの面内方向外側面と、第１垂直板３４ｇ、第２垂直板３４ｉの面外方向内側面と、第２垂直板３４ｉの面内方向外側面とで構成されている。
第１垂直板３４ｇと水平板３４ｈと第２垂直板３４ｉとで下框２１の内向突部２５の室内側片２５ａ、室外側片２５ｂと同様にクランク形状を構成し、框取付部３５は見込み寸法の大きな面内方向外側の外側部分３５−１と、この外側部分３５−１よりも見込み寸法の小さな面内方向内側の内側部分３５−２を有している。
これによって、内向突部２５が外向凹部３５ａに嵌合する。
【００２３】
前記框取付部３５の内側部分３５−２の見込み寸法は、前記面材取付部３４の見込み寸法よりも小さく、面材６が補強部３１ａの室内側板３４ｂ、室外側板３４ｃ、内側板３４ｄ、外側板３４ｅで形成された中空部よりも下方に突出して取付けてあり、面材６が内側部分３５−２の面外方向外側に位置する。
これによって、面材６の上下寸法を大きくできる。
【００２４】
前記面材支持片３８は面材６の表面６ｂに接して面材６を支持し、この面材支持片３８の表面と面材６の表面６ｂとの間に前述の段差ａ，ｂが生じる。
【００２５】
前記左面材支持材３２は図５に示すように、室内側板３６ｂ、室外側板３６ｃ、内側板３６ｄ、外側板３６ｅで矩形中空形状の第１中空部を有する補強部３２ａを備えた長尺材で、この中空部の見込み寸法は前記上下面材支持材３０，３１の補強部３１ａの中空部と同一である。
更に、前記左面材支持材３２には、室内側板３６ｂ及び室外側板３６ｃの面内方向外側端部から更に面外方向外側へ延出した第１延出板３６ｆと、第１延出板３６ｆの面内方向外側端部から面外方向外側に延出した第２延出板３６ｇと、第２延出板３６ｇの面外方向外側端部から面内方向内側に延出した面材支持片３９と、第２延出板３６ｇの面外方向外側端部から面内方向外側に延出した第３延出板３６ｈとが形成してある。
前記左面材支持材３２の面材取付部３６の略Ｕ字状の取付面３６ａは第１延出板３６ｆの面外方向外側面と、第２延出板３６ｇの面内方向内側面と、面材支持片３９の面外方向内側面とで構成されている。
この取付面３６ａの内、第１延出板３６ｆの面外方向外側面（前述の接着面）に接着剤等を塗布することで、面材６を面材取付部３６と接着固定している。
【００２６】
また、前記左面材支持材３２には、第１延出部３６ｆの面内方向外側端部から面内方向外側へ延出した第４延出部３６ｉと、一対の第４延出部３６ｉの面内方向外側端部同士にわたって設けられた固定板３６ｊとが形成されている。
前記框取付部３７は、固定板３６ｊ、第２延出板３６ｇの面内方向外側面と、第３延出板３６ｈの面外方向内側面と、第３延出板３６ｈの面内方向外側面と、第４延出板３６ｉの面外方向外側面とで構成されている。
この第１延出板３６ｆと第２延出板３６ｇと第３延出板３６ｈとでクランク形状を構成し、外側板３６ｅと一対の第１延出板３６ｆと一対の第４延出板３６ｉと固定板３６ｊとで矩形中空断面の第２中空部を形成している。
第２中空部の見込み寸法は一対の第３延出板３６ｈ間の間隔よりもよりも小さく、面材６が第２中空部の面外方向外側に位置する。
これによって、面材６の左右寸法を大きくできる。
【００２７】
前記面材支持片３９が面材６の表面６ｂに接して面材６を支持している。
この面材支持片３９に、前記左右縦框２２，２３の室内側板２７、室外側板２８の内向凹部２６を形成する部分２７ａ，２８ａが接している。
この時、前述の部分２７ａ，２８ａに複数の突片２７ｂ，２８ｂを設け、その突片２７ｂ，２８ａが接するようにすることでしっかりと安定して支持できる。
【００２８】
そして、図６に示すように、左・右面材支持材３２，３３の補強部３２ａの室内・外側板３６ｂ，３６ｃと内側板３６ｄの上下端部が切り欠かれて補強部３２ａの前述した各板の上下端部の端面が前記上・下面材支持材３０，３１の補強部３１ａの内側板３４ｄに当接し、前記上・下面材支持材３０，３１の補強部３１ａのビスホール３４ｆと左・右面材支持材３２，３３の外側板３６ｅがビスで連結され、上下面材支持材３０，３１の面材支持片３８の長手方向端面が左右面材支持材３２，３３の面材支持片３９の端面に接し、各面材支持片３８，３９の表面は面一状態で四周連続する。また、第２垂直板３４ｉ、第３延出板３６ｈも面材支持片３８，３９の表面とともに面一状態で四周連続する。
【００２９】
前記左縦框２２、下框２１と面材ユニット４の縦部、下部は、図６、図７に示すように、下面材支持材３１の框取付部３５の外側部分３５−１が下框２１の内向突部２５の外側部分２５−１の表面に嵌合して下框２１の室内外側鉤片２４ｂ，２４ｃの折曲部に接する。
前記左面材支持材３２の框取付部３７が左縦框２２の内向凹部２６に嵌合し、面板支持片３９も内向凹部２６に嵌まり込んで左面材支持材２２の表面２２ａで覆われる。
このようであるから、左面材支持材３２が左縦框２２で覆われて見えない。
この状態で、左面材支持材３２の固定板３６ｊと左縦框２２の面内方向内側の連結片２９とをビスで連結する。
また、下面材支持材３１の補強部３１ａのビスホール３４ｆには、上下方向に雌ねじが形成されており、下框２１の横片２４ａの図示しない貫通孔、連結片２５ｃの孔４０を通ったビスが、下方から下面材支持材３１の補強部３１ａのビスホール３４ｆに螺合することで、下框２１の連結片２５ｃと下面材支持材３１の外側板３４ｅとが連結される。
【００３０】
前記右縦框２３、下框２１と面材ユニット４の縦部、下部及び、上框２０と左右縦框２，２３と面材ユニット４の縦部、上部も前述と同様に連結され、右面材支持材３３が右縦框２３で覆われて見えない。
【００３１】
前述の実施の形態では第１・第２框を上框２０、下框２１とし、第３・第４框を左縦框２２、右縦框２３としたが、第１・第２框を左・右縦框、第３・第４框を上、下框としても良い。
つまり、図１の建具体２を９０度向きを変えても良い。
この場合には、第１・第２面材支持材と第３・第４面材支持材も変更する。
また、前述の実施の形態では、左縦框２２と右縦框２３の見付け方向の幅（左右方向の幅）が同じであったが、左右の縦框で見付け方向の幅を異ならせてもよい。
【図面の簡単な説明】
【００３２】
【図１】本発明の実施の形態を示す建具の内観図である。
【図２】図１の縦断面図である。
【図３】図１の横断面図である。
【図４】建具の下部拡大断面図である。
【図５】建具の左縦部拡大断面図である。
【図６】左縦框と下框の連結部と左面材支持材と下面材支持材の連結部の斜視図である。
【図７】建具体の左下部の斜視図である。
【符号の説明】
【００３３】
２…建具体、３…枠体、４…面材ユニット、５…面材支持枠、６…面材、６ｂ…表面、２０…上框（第１框）、２１…下框（第２框）、２２…左縦框（第３框）、２３…右縦框（第４框）、２４…本体、２５…内向突部、２６…内向凹部、３０…上面材支持材（第１面材支持材）、３１…下面材支持材（第２面材支持材）、３２…左面材支持材（第３面材支持材）、３３…右面材支持材（第４面材支持材）、３４…面材取付部、３５…框取付部、３５ａ…外向凹部、３５−１…外側部分、３５−２…内側部分、３６…面材取付部、３７…框取付部、３８…面材支持片、３９…面材支持片。
【図１】
0004855426.tif 000002
【図２】
0004855426.tif 000003
【図３】
0004855426.tif 000004
【図４】
0004855426.tif 000005
【図５】
0004855426.tif 000006
【図６】
0004855426.tif 000007
【図７】
0004855426.tif 000008